【手続補正書】
【提出日】平成17年3月22日(2005.3.22)
【手続補正１】
【補正対象書類名】明細書
【補正対象項目名】発明の名称
【補正方法】変更
【補正の内容】
【発明の名称】情報処理システム及び情報処理装置及び情報処理方法及びそれを実現するプログラム
【手続補正２】
【補正対象書類名】明細書
【補正対象項目名】特許請求の範囲
【補正方法】変更
【補正の内容】
【特許請求の範囲】
【請求項１】
外部装置に対してコンテンツデータ提供する情報処理装置であって、
コンテンツデータと当該コンテンツデータを管理するためのコンテンツデータ管理情報とを第１領域に格納する第１格納手段と、
前記第１格納手段により格納されたコンテンツデータを複製して、複製情報を作成する複製手段と、
前記複製手段により複製された複製情報を外部装置からのアクセスに対して使用されるように第２領域に格納する第２格納手段と、
前記外部装置からのコンテンツデータへのアクセス要求に応答して、前記第１格納手段により格納されたコンテンツデータ管理情報を判定する判定手段と、
前記判定手段による判定結果に応じて、前記外部装置からアクセスされたコンテンツデータと対応する前記第２格納手段により格納された複製情報又は前記外部装置からアクセス要求されたコンテンツデータと対応する前記第２格納手段により格納された複製情報とは異なるメッセージ情報のいずれを送信するかを制御する制御手段とを備えることを特徴とする情報処理装置。
【請求項２】
前記判定手段は、前記コンテンツデータ管理情報から、第１格納手段により当該コンテンツデータが格納されているか否かあるいは、当該コンテンツデータの閲覧可否あるいは、当該コンテンツデータのオーナであるユーザが所定のデータベースに登録されているか否かを判定することを特徴とする請求項１に記載の情報処理装置。
【請求項３】
前記外部装置からのアクセスごとに、セッションを管理するセッション管理手段とを更に備え、
前記判定手段は、更に、セッション管理手段により管理されたセッションに基づいて、判定することを特徴とする請求項１に記載の情報処理装置。
【請求項４】
コンテンツデータは画像データであることを特徴とする請求項１に記載の情報処理装置。
【請求項５】
外部装置に対してコンテンツデータ提供するための情報処理方法であって、
コンテンツデータと当該コンテンツデータを管理するためのコンテンツデータ管理情報とを第１領域に格納するステップと、
前記第１領域に格納されたコンテンツデータを複製して、複製情報を作成するステップと、
前記複製された複製情報を外部装置からのアクセスに対して使用されるように第２領域に格納するステップと、
前記外部装置からのコンテンツデータへのアクセス要求に応答して、前記第１領域に格納されたコンテンツデータ管理情報を判定するステップと、
前記判定結果に応じて、前記外部装置からアクセスされたコンテンツデータと対応する前記第２領域に格納された複製情報又は前記外部装置からアクセス要求されたコンテンツデータと対応する前記第２領域に格納された複製情報とは異なるメッセージ情報のいずれを送信するかを制御するステップとを備えることを特徴とする情報処理方法。
【請求項６】
外部装置に対してコンテンツデータ提供する情報処理装置が実行するプログラムであって、
コンテンツデータと当該コンテンツデータを管理するためのコンテンツデータ管理情報とを第１領域に格納するステップと、
前記第１領域に格納されたコンテンツデータを複製して、複製情報を作成するステップと、
前記複製された複製情報を外部装置からのアクセスに対して使用されるように第２領域に格納するステップと、
前記外部装置からのコンテンツデータへのアクセス要求に応答して、前記第１領域に格納されたコンテンツデータ管理情報を判定するステップと、
前記判定結果に応じて、前記外部装置からアクセスされたコンテンツデータと対応する前記第２領域に格納された複製情報又は前記外部装置からアクセス要求されたコンテンツデータと対応する前記第２領域に格納された複製情報とは異なるメッセージ情報のいずれを送信するかを制御するステップとを有することを特徴とするプログラム。
【請求項７】
外部装置と、該外部装置に対してコンテンツデータを提供する情報処理装置とを備える情報処理システムであって、
前記情報処理装置は、
コンテンツデータと当該コンテンツデータを管理するためのコンテンツデータ管理情報とを第１領域に格納する第１格納手段と、
前記第１格納手段により格納されたコンテンツデータを複製して、複製情報を作成する複製手段と、
前記複製手段により複製された複製情報を外部装置からのアクセスに対して使用されるように第２領域に格納する第２格納手段と、
前記外部装置からのコンテンツデータへのアクセス要求に応答して、コンテンツデータ管理情報を判定する判定手段；
前記判定手段による判定結果に応じて、前記外部装置からアクセスされたコンテンツデータと対応する前記第２格納手段により格納された複製情報又は前記外部装置からアクセス要求されたコンテンツデータと対応する前記第２格納手段により格納された複製情報とは異なるメッセージ情報のいずれを送信するかを制御する制御手段とを備え、
前記外部装置は、
前記情報処理装置から送信された複製情報又はメッセージ情報に基づき表示処理を実行する表示手段を備えることを特徴とする情報処理システム。
【手続補正３】
【補正対象書類名】明細書
【補正対象項目名】０００１
【補正方法】変更
【補正の内容】
【０００１】
【発明の属する技術分野】
本発明は、情報処理装置が記憶する画像を外部装置に閲覧させるための情報処理システム及び情報処理装置及び情報処理方法及びそれを実現するプログラムに関するものである。
【手続補正４】
【補正対象書類名】明細書
【補正対象項目名】０００７
【補正方法】変更
【補正の内容】
【０００７】
本発明は、上記従来技術の問題点を解決するために提案されたものであり、その目的とするところは、画像の閲覧サービスを行う上で、画像の閲覧可否、画像の削除、画像を登録したユーザの脱会といった情報を即時に反映して、画像データや文字データを送出することにある。
【手続補正５】
【補正対象書類名】明細書
【補正対象項目名】０００８
【補正方法】変更
【補正の内容】
【０００８】
【課題を解決するための手段】
上記目的を達成するために、本発明の情報処理装置は、外部装置に対してコンテンツデータ提供する情報処理装置であって、コンテンツデータと当該コンテンツデータを管理するためのコンテンツデータ管理情報とを第１領域に格納する第１格納手段と、前記第１格納手段により格納されたコンテンツデータを複製して、複製情報を作成する複製手段と、前記複製手段により複製された複製情報を外部装置からのアクセスに対して使用されるように第２領域に格納する第２格納手段と、前記外部装置からのコンテンツデータへのアクセス要求に応答して、前記第１格納手段により格納されたコンテンツデータ管理情報を判定する判定手段と、前記判定手段による判定結果に応じて、前記外部装置からアクセスされたコンテンツデータと対応する前記第２格納手段により格納された複製情報又は前記外部装置からアクセス要求されたコンテンツデータと対応する前記第２格納手段により格納された複製情報とは異なるメッセージ情報のいずれを送信するかを制御する制御手段とを備えることを特徴とする。
【手続補正６】
【補正対象書類名】明細書
【補正対象項目名】０００９
【補正方法】変更
【補正の内容】
【０００９】
ここで、前記判定手段は、前記コンテンツデータ管理情報から、第１格納手段により当該コンテンツデータが格納されているか否かあるいは、当該コンテンツデータの閲覧可否あるいは、当該コンテンツデータのオーナであるユーザが所定のデータベースに登録されているか否かを判定する。また、前記外部装置からのアクセスごとに、セッションを管理するセッション管理手段とを更に備え、前記判定手段は、更に、セッション管理手段により管理されたセッションに基づいて、判定する。また、コンテンツデータは画像データである
【手続補正７】
【補正対象書類名】明細書
【補正対象項目名】００１０
【補正方法】変更
【補正の内容】
【００１０】
又、本発明の情報処理方法は、外部装置に対してコンテンツデータ提供するための情報処理方法であって、コンテンツデータと当該コンテンツデータを管理するためのコンテンツデータ管理情報とを第１領域に格納するステップと、前記第１領域に格納されたコンテンツデータを複製して、複製情報を作成するステップと、前記複製された複製情報を外部装置からのアクセスに対して使用されるように第２領域に格納するステップと、前記外部装置からのコンテンツデータへのアクセス要求に応答して、前記第１領域に格納されたコンテンツデータ管理情報を判定するステップと、前記判定結果に応じて、前記外部装置からアクセスされたコンテンツデータと対応する前記第２領域に格納された複製情報又は前記外部装置からアクセス要求されたコンテンツデータと対応する前記第２領域に格納された複製情報とは異なるメッセージ情報のいずれを送信するかを制御するステップとを備えることを特徴とする。
【手続補正８】
【補正対象書類名】明細書
【補正対象項目名】００１１
【補正方法】変更
【補正の内容】
【００１１】
又、本発明の情報処理装置が実行するプログラムは、外部装置に対してコンテンツデータ提供する情報処理装置が実行するプログラムであって、コンテンツデータと当該コンテンツデータを管理するためのコンテンツデータ管理情報とを第１領域に格納するステップと、前記第１領域に格納されたコンテンツデータを複製して、複製情報を作成するステップと、前記複製された複製情報を外部装置からのアクセスに対して使用されるように第２領域に格納するステップと、前記外部装置からのコンテンツデータへのアクセス要求に応答して、前記第１領域に格納されたコンテンツデータ管理情報を判定するステップと、前記判定結果に応じて、前記外部装置からアクセスされたコンテンツデータと対応する前記第２領域に格納された複製情報又は前記外部装置からアクセス要求されたコンテンツデータと対応する前記第２領域に格納された複製情報とは異なるメッセージ情報のいずれを送信するかを制御するステップとを有することを特徴とする。
【手続補正９】
【補正対象書類名】明細書
【補正対象項目名】００１２
【補正方法】変更
【補正の内容】
【００１２】
又、本発明の情報処理システムは、外部装置と、該外部装置に対してコンテンツデータを提供する情報処理装置とを備える情報処理システムであって、前記情報処理装置は、コンテンツデータと当該コンテンツデータを管理するためのコンテンツデータ管理情報とを第１領域に格納する第１格納手段と、前記第１格納手段により格納されたコンテンツデータを複製して、複製情報を作成する複製手段と、前記複製手段により複製された複製情報を外部装置からのアクセスに対して使用されるように第２領域に格納する第２格納手段と、前記外部装置からのコンテンツデータへのアクセス要求に応答して、コンテンツデータ管理情報を判定する判定手段；前記判定手段による判定結果に応じて、前記外部装置からアクセスされたコンテンツデータと対応する前記第２格納手段により格納された複製情報又は前記外部装置からアクセス要求されたコンテンツデータと対応する前記第２格納手段により格納された複製情報とは異なるメッセージ情報のいずれを送信するかを制御する制御手段とを備え、前記外部装置は、前記情報処理装置から送信された複製情報又はメッセージ情報に基づき表示処理を実行する表示手段を備えることを特徴とする。
【手続補正１０】
【補正対象書類名】明細書
【補正対象項目名】０１８１
【補正方法】変更
【補正の内容】
【０１８１】
【発明の効果】
以上説明したように、本発明によれば、画像の閲覧サービスを行う上で、画像の閲覧可否、画像の削除、画像を登録したユーザの脱会といった情報を即時に反映して、画像データや文字データを送出することが出来る。